(57)【特許請求の範囲】
【請求項１】
ガスコンロ本体の天面部を構成するトッププレートと、前記トッププレートに配置されるコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設された、前記コンロバーナの火力を調節する火力調節レバーとを備えたガスコンロであって、
前記火力調節レバーが、前記ガスコンロ本体の内部に配設されたガス量調節手段のガス量調節用駆動部と係合するレバー本体部を備え、
前記レバー本体部が、前記ガス量調節用駆動部から前方に延びる前方延出部と、前記前方延出部の前端から上方に延びる上方延出部と、前記上方延出部の上端から前方に延びて前記スリットを貫通する貫通部とを備えているとともに、
前記火力調節レバーの操作によって、前記前方延出部が、前記ガス量調節用駆動部を中心として水平面に沿って回動して前記コンロバーナの火力を調節するように構成され、
前記ガスコンロ本体の内部の前記上方延出部の後方に、前記上方延出部が後方へ所定の距離以上移動することを規制するガイド体を備えていること
を特徴とするガスコンロ。
【請求項２】
前記上方延出部の後方に壁体を配設し、この壁体の一部を前方に突出させた前方突出領域を前記ガイド体として機能させるように構成されていることを特徴とする請求項１記載のガスコンロ。
【請求項３】
前記ガイド体の前面が、平面視において、前記ガス量調節用駆動部を中心とする部分円弧状に形成されていることを特徴とする請求項１または２記載のガスコンロ。
【発明の詳細な説明】
【技術分野】
【０００１】
本発明は、ガスコンロに関し、詳しくは、火力調節を行う際に操作される火力調節レバーをガスコンロ本体の前面側に備えたガスコンロに関する。
【背景技術】
【０００２】
ガスコンロとして、近年、ガスコンロ本体の前面に、火力調節を行う際に操作される火力調節レバーをガスコンロ本体の前面に備えたガスコンロが広く市販されるに至っている。
【０００３】
このようなガスコンロの１つに、特許文献１に記載されているような、コンロ本体の天面部を構成するトッププレート上にコンロバーナを備え、ガスコンロ本体の前面を構成する前面パネルに、バーナの火力を調節するための火力調節レバー（火力調節用操作具）が配設された構造を有するガスコンロがある。
【０００４】
そして、この特許文献１のガスコンロにおいては、使用者がガスコンロの前面側から、火力調節レバー（火力調節用操作具）を操作することにより、コンロバーナの火力の調節が行われる。
【先行技術文献】
【特許文献】
【０００５】
【特許文献１】特開２０１１−２３１９３８号公報
【発明の概要】
【発明が解決しようとする課題】
【０００６】
しかしながら、特許文献１のような構成を備えた従来のガスコンロにおいて、例えば、意匠上の理由などによって、火力調節レバー（火力調節用操作具）が機器前面の上方に配置され、かつ、ガス弁ブロック（ガス量調節手段）の駆動軸（駆動部）がコンロ本体の内側の下方に位置していて、火力調節レバーの、上記駆動軸までの距離が長く、かつ、曲折部を有しているような場合においては、使用者が火力調節レバーを手指にて操作する際に、火力調節レバーが撓んで操作しにくくなる場合があり、使い勝手がよくないという問題点がある。
【０００７】
本発明は、上記問題点を解決するものであり、例えば、意匠上の理由などによって、火力調節レバー（火力調節用操作具）が機器前面上方に配置され、ガス弁ブロックの駆動部がコンロ本体の内側の下方に位置することにより、火力調節レバーの、上記駆動部までの距離が長く、かつ、曲折部を有しているような場合においても、火力調節レバーの撓みによる火力調節の操作性の低下を抑制することが可能で、使い勝手のよいガスコンロを提供することを目的とする。
【課題を解決するための手段】
【０００８】
上記の目的を達成するために、本発明のガスコンロは、
ガスコンロ本体の天面部を構成するトッププレートと、前記トッププレートに配置されるコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設された、前記コンロバーナの火力を調節する火力調節レバーとを備えたガスコンロであって、
前記火力調節レバーが、前記ガスコンロ本体の内部に配設されたガス量調節手段のガス量調節用駆動部と係合するレバー本体部を備え、
前記レバー本体部が、前記ガス量調節用駆動部から前方に延びる前方延出部と、前記前方延出部の前端から上方に延びる上方延出部と、前記上方延出部の上端から前方に延びて前記スリットを貫通する貫通部とを備えているとともに、
前記火力調節レバーの操作によって、前記前方延出部が、前記ガス量調節用駆動部を中心として水平面に沿って回動して前記コンロバーナの火力を調節するように構成され、
前記ガスコンロ本体の内部の前記上方延出部の後方に、前記上方延出部が後方へ所定の距離以上移動することを規制するガイド体を備えていること
を特徴としている。
【０００９】
また、本発明のガスコンロにおいては、前記上方延出部の後方に壁体を配設し、この壁体の一部を前方に突出させた前方突出領域を前記ガイド体として機能させるように構成されていることが好ましい。
【００１０】
また、前記ガイド体の前面が、平面視において、前記ガス量調節用駆動部を中心とする部分円弧状に形成されていることが好ましい。
【発明の効果】
【００１１】
本発明のガスコンロは、上述のように、ガスコンロ本体の天面部を構成するトッププレートに配置されるコンロバーナと、ガスコンロ本体の前面に配置された前面パネルと、前面パネルを前後方向に貫通する横長のスリットと、該スリットを後方から前方に向かって貫通して配設され、コンロバーナの火力を調節する火力調節レバーとを備えたガスコンロにおいて、火力調節レバーが、ガスコンロ本体の内部に配設されたガス量調節手段としてのガス量調節用駆動部と係合するレバー本体部を備え、レバー本体部が、ガス量調節用駆動部からに延びる前方延出部と、前方延出部の前端から上方に延びる上方延出部と、上方延出部の上端から前方に延びてスリットを貫通する貫通部とを備えているとともに、火力調節レバーの操作によって、前方延出部が、ガス量調節用駆動部に形成されたガス量調節用駆動部を中心として水平面に沿って回動してコンロバーナの火力を調節するように構成され、ガスコンロ本体の内部の上方延出部の後方に、上方延出部が後方へ所定の距離以上に移動することを規制するガイド体を備えているので、例えば、意匠上の理由などによって、火力調節レバー（火力調節用操作具）が機器前面上方に配置され、ガス量調節手段から火力調節レバーの操作部（操作つまみなど）までの距離が長くなっている場合において、火力調節レバー（火力調節用操作具）が後方に押し込まれるように操作されたときにも、上述のガイド体により、火力調節レバーが後方に撓むことを抑制して、火力調節レバーの操作性の低下を抑制することが可能になり、使い勝手のよいガスコンロを提供することができる。
【００１２】
また、本発明のガスコンロにおいて、上方延出部の後方に壁体を配設し、この壁体の一部を前方に突出させた前方突出領域をガイド体として機能させるようにした場合、上方延出部の後方に壁体を配設し、この壁体の一部を前方に突出させるだけでガイド体を構成することが可能になり、コストの増大を抑制しつつ、信頼性の高いガスコンロを提供することが可能になる。
【００１３】
また、ガイド体の前面が、平面視において、ガス量調節用駆動部を中心とする部分円弧状に形成されている場合、火力調節レバー（火力調節用操作具）の広い操作範囲に亘って、火力調節レバーが後方に撓むことによって操作性の劣化が生じることを抑制することが可能になり、本発明をより実効あらしめることができる。
【図面の簡単な説明】
【００１４】
【図１】本発明の一実施形態にかかるガスコンロの全体構成を示す斜視図である。
【図２】本発明の一実施形態にかかるガスコンロの要部構成を示す側断面図である。
【図３】本発明の一実施形態にかかるガスコンロの要部構成を示す拡大側断面図である。
【図４】本発明の一実施形態にかかるガスコンロの要部構成を示す平面図である。
【図５】本発明の一実施形態にかかるガスコンロの要部構成を示す図であって、（ａ）は壁体に形成されたガイド体の構成を示す正面図、（ｂ）は側面図、（ｃ）は（ａ）のＡ−Ａ線断面図である。
【発明を実施するための形態】
【００１５】
以下、本発明の実施形態を示して、その特徴とするところをさらに詳しく説明する。
【００１６】
［実施形態］
この実施形態１にかかるガスコンロ１は、図１〜３に示すように、ガスコンロ本体１０の天面部を構成するトッププレート３０と、トッププレート３０に配置された、２つのコンロバーナ２１，２２を有するコンロ部２ａと、グリル２ｂとを備えたガステーブルコンロである。
【００１７】
また、このガスコンロ１において、ガスコンロ本体１０の前面を構成する前面パネル１１には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前面パネル１１には電池ケース４２が配設されている。
【００１８】
なお、前面パネル１１は、図２に示すように、下端側が上端側よりも前方に位置する態様で傾斜して配設されている。
【００１９】
そして、点消火ボタン４１を押し操作することにより、ガス弁ユニット（ガス量調節手段）６１の前方に備える弁体制御ロッド６３（図２）が後方に移動して、ガス弁ユニット（ガス量調節手段）６１の内部に備える開閉弁（図示せず）が開弁して、コンロバーナ２１，２２やグリルバーナ（図示せず）に供給される燃料ガスが通流する開弁状態に至るように構成されている。なお、この開弁状態は、ラッチ機構（図示せず）によって維持される。
【００２０】
また、弁体制御ロッド６３（図２）は、スプリング（図示せず）によって前方に付勢されており、開弁状態において、再び点消火ボタン４１（図１、図２）を押し操作すると、弁体制御ロッド６３が後方に移動してラッチ機構によるラッチが解除される。そして、その状態で点消火ボタン４１の押し操作を解除すると、弁体制御ロッド６３がスプリング（図示せず）の付勢力によって前方に移動して、ガス弁ユニット（ガス量調節手段）６１の内部に備える開閉弁（図示せず）が閉弁して、各コンロバーナへの燃料ガスの通流が遮断される閉弁状態に至る。なお、この閉弁状態は、スプリング（図示せず）の付勢力によって維持される。
【００２１】
また、ガスコンロ１は、ガスコンロ本体１０のコンロバーナ２１，２２の火力を調節する火力調節レバー５１，５２およびグリル部２ｂを構成するグリルバーナ（図示せず）の火力を調節する火力調節レバー５３を備えている。
【００２２】
また、火力調節レバー５１，５２，５３は、前面パネル１１に設けられた、左右方向に長い横長のスリット１２（図３）を、後方（奥側）から前方（手前側）に向かって貫通するように配設されている。
【００２３】
次に、火力調節レバー５１，５２，５３の構成について説明する。
なお、火力調節レバー５１，５２，５３が、いずれも同様の構成を備えていることから、ここでは火力調節レバー５１を例にとってその構成を詳しく説明する。
【００２４】
火力調節レバー５１は、図２，３に示すように、ガスコンロ本体１０の内部に配設されたガス量調節手段６１のガス量調節用駆動軸（駆動部）６２と係合するレバー本体部７１を備え、レバー本体部７１が、ガス量調節用駆動軸６２から前方に延びる前方延出部７１ａと、前方延出部７１ａの前端から上方に延びる上方延出部７１ｂとを備えている。
【００２５】
また、火力調節レバー５１を構成するレバー本体部７１は、さらに、ガスコンロ本体１０の前面（前面パネル１１）のスリット１２を貫通する貫通部７１ｃ、前面パネル１１に沿って下方に延びる垂下部７１ｄと、垂下部７１ｄの下端部に配設された、火力調節を行う際に使用者が手指でつまんで操作するつまみ部である把持部７１ｅを備えている。
【００２６】
この実施形態のガスコンロ１は、図２に示すように、レバー本体部７１の、前方延出部７１ａの後端側は、各コンロバーナに供給される燃料ガスの通流量を制御するガス弁ユニット（ガス量調節手段）６１が備える、ガス量調節用駆動軸（駆動部）６２に係合（接続）されており、火力調節レバー５１を操作することにより、火力調節レバー５１を構成するレバー本体部７１も動作し、火力調節が行われるように構成されている。
【００２７】
すなわち、火力調節レバー５１を操作して、レバー本体部７１を構成する前方延出部７１ａの後端部と係合するガス量調節用駆動軸６２を水平面に沿って動作させることで、各コンロバーナに供給される燃料ガスの通流量が増減され、火力の調節が行われるように構成されている。
【００２８】
そして、この実施形態のガスコンロ１では、図２〜５に示すように、上方延出部７１ｂの後方に、上方延出部７１ｂが後方へ所定の距離以上に移動することを規制するガイド体８０を備えている。
なお、ガイド体８０は、上方延出部７１ｂの後方に壁体８１を配設するとともに、この壁体８１の一部を前方に突出させる加工を施すことにより形成されている（図２〜５）。
【００２９】
具体的には、めっき鋼板からなる壁体８１の一部を、プレス加工によって前方に切り押し加工することにより、上方延出部７１ｂと当接して、上方延出部７１ｂが後方へ移動することを規制するガイド体８０が形成されている。
【００３０】
そして、この実施形態にかかるガスコンロ１では、ガイド体８０の前面が、平面視において、ガス量調節用駆動軸６２を中心とする部分円弧状に形成されている（図４，５参照）。すなわち、ガイド体８０は、面としてみた場合に、ガス量調節用駆動軸６２を中心軸とする円筒の一部をなす面（部分円筒面）として形成されている。
【００３１】
また、この実施形態では、火力調節レバー（火力調節用操作具）の最小火力から最大火力に亘る操作範囲において、上方延出部７１ｂの後面と、ガイド体８０の前面（部分円筒面）との間に０．５ｍｍの隙間が存在するように構成されている。なお、上方延出部７１ｂの後面と、ガイド体８０の前面（部分円筒面）との間との間に存在する隙間は、０．５ｍｍに限定されず、加工精度などに基づいて適宜決定される。
【００３２】
この実施形態のガスコンロは、上述のように構成されているので、意匠上の理由などによって、火力調節レバー（火力調節用操作具）が機器前面上方に配置され、ガス弁ユニット（ガス量調節手段）６１が備える、ガス量調節用駆動軸（駆動部）６２までの距離が長くなっている場合において、火力調節レバー５１が後方に押し込まれるように操作されたときにも、上述のガイド体８０により、火力調節レバー５１が後方に撓むことを抑制して、火力調節レバー５１の操作性の低下を抑制することが可能になり、使い勝手のよいガスコンロを提供することが可能になる。
【００３３】
また、この実施形態のガスコンロ１においては、上方延出部７１ｂの後方に壁体８１を配設し、この壁体８１の一部を、プレス加工にて前方に切り押し加工することにより、ガイド体８０を形成しているので、極めて容易にガイド体８０を構成することが可能になり、コストの増大を抑制しつつ、操作性に優れたガスコンロを提供することが可能になる。
【００３４】
さらに、この実施形態にかかるガスコンロ１では、ガイド体８０の前面が、平面視において、ガス量調節用駆動軸（駆動部）６２を中心とする部分円弧状に形成されている（すなわち、ガイド体８０は、ガス量調節用駆動軸６２を中心軸とする部分円筒面として形成されている）ので、火力調節レバー５１の、最小火力から最大火力までの広い操作範囲に亘って、火力調節レバー５１の動作を円滑にすることが可能になり、さらなる操作性の向上を実現することができる。
【００３５】
なお、上述の壁体８１の一部を切り押し加工することによりガイド体８０を形成した構成、および、ガイド体８０の前面を部分円筒面とした構成は、任意の構成であり、壁体ではなくて、例えば、棒状材料を用いてガイド体を形成するようにしてもよい。
また、ガイド体は、その前面が必ずしも平面視、部分円弧状（部分円筒面）ではなくてもよく、場合によっては、平坦面のままであっても、レバー本体部の上方延出部が後方へ所定の距離以上移動することを規制することができる場合もある。
【００３６】
本発明は、さらにその他の点においても上記実施形態に限定されるものではなく、発明の範囲内において種々の応用、変形を加えることが可能である。
【符号の説明】
【００３７】
１          ガスコンロ
２ａ        コンロ部
２ｂ        グリル
１０        ガスコンロ本体
１１        前面パネル
１２        スリット
２１，２２  コンロバーナ
３０        トッププレート
４１（４１ａ，４１ｂ，４１ｃ）    点消火ボタン
４２        電池ケース
５１，５２，５３      火力調節レバー
６１        ガス弁ユニット
６２        ガス弁ユニットに設けたガス量調節用駆動軸（駆動部）
６３        弁体制御ロッド
７１        火力調節レバーを構成するレバー本体
７１ａ      前方延出部
７１ｂ      上方延出部
７１ｃ      貫通部
７１ｄ      垂下部
７１ｅ      把持部
８０        ガイド体
８１        壁体
【図１】
0006532327.tif 000002
【図２】
0006532327.tif 000003
【図３】
0006532327.tif 000004
【図４】
0006532327.tif 000005
【図５】
0006532327.tif 000006